(57)【特許請求の範囲】
【請求項１】
地下埋設物の下側の地盤を残した状態で、地下埋設物の上部および側部の地盤を、地下埋設物の下端近傍まで掘削する際に、前記地下埋設物を係止する係止部材であって、
ほぼ枠形状、若しくは、ほぼ筒形状で、かつ、閉合せずに開放した状態になるように切断部が形成され、弾性を有する係止部材本体を備え、
前記係止部材本体の前記切断部側を、前記地下埋設物に押しつけて内部に収めることにより、包み込むように前記地下埋設物を係止することを特徴とする係止部材。
【請求項２】
請求項１記載の係止部材において、
前記地下埋設物を係止した状態の前記係止部材本体の左右にそれぞれ近接、若しくは、当接して配置される変形阻止部材と、前記変形阻止部材の一端同士を相互に連結する連結部材と、を具備する被せ部材を備え、
前記被せ部材は、前記係止部材本体よりも高い剛性を有することを特徴とする係止部材。
【請求項３】
請求項１または２記載の係止部材を用いた吊り部材であって、
前記係止部材本体の前記切断部のほぼ反対側に設けられる、ワイヤー等の吊り材を備えることを特徴とする吊り部材。
【請求項４】
請求項３記載の吊り部材を用いる、地下埋設物の防護工法であって、
前記地下埋設物の下側の地盤を残した状態で、前記地下埋設物の上部および側部の地盤を、前記地下埋設物の下端近傍まで掘削し、
前記係止部材本体の前記切断部側を、前記地下埋設物に押しつけて内部に収めることにより、包み込むように前記地下埋設物を係止し、
前記吊り材によって、前記係止部材本体の前記切断部のほぼ反対側を吊ることを特徴とする地下埋設物の防護工法。
【発明の詳細な説明】
【０００１】
【発明の属する技術分野】
本発明は、地下埋設物の下側の地盤を残した状態で、地下埋設物の上部および側部の地盤を、地下埋設物の下端近傍まで掘削する際に、前記地下埋設物に係止される係止部材と、その係止部材を用いた吊り部材と、その吊り部材を用いて地中工事空間に露出する地下埋設物を防護する防護工法に関する。
【０００２】
【従来の技術】
従来、既設の地下埋設物よりも深い地中を掘削して構造物を設置する際に、行っていた地下埋設物の防護工法の施工手順について、図４を用いて説明する。
まず、既設の地下埋設物４の上部および側部にある原地盤を掘削して、地下埋設物４を露出させる。該地下埋設物４の下部の原地盤（手掘り部５１）を、地下埋設物４の長さ方向に約１〜２ｍ毎の間隔で、手掘りにより掘削する。
【０００３】
そして、手掘りした箇所にワイヤー等の吊り材３を通し、該吊り材３の両端を地表面近くに設置した吊り桁（不図示）に取り付け、地下埋設物４を支持する。
その後、該地下埋設物４よりも深い地中を掘削して構造物（不図示）を設置する。
【０００４】
【発明が解決しようとする課題】
しかしながら、上記のような防護工法においては、地下埋設物の下部の地盤を手掘りにより掘削するため、作業者に負担がかかる。また、地下埋設物の下部には、通常、採石や胴木による基礎があるため、手掘りによる掘削が容易ではなく、施工性が悪い。更に、地下埋設物の下部の地盤を掘削してから吊り防護を施工するまでの間、地下埋設物がところどころ宙に浮いた状態となるため不安定である、というような問題があった。
【０００５】
本発明の課題は、施工性がよく、作業者の負担を軽減することが可能な、地下埋設物の防護工法、係止部材および吊り部材を提供することである。
【０００６】
【課題を解決するための手段】
上記の課題を解決するため、請求項１記載の発明は、地下埋設物の下側の地盤を残した状態で、地下埋設物の上部および側部の地盤を、地下埋設物の下端近傍まで掘削する際に、前記地下埋設物を係止する係止部材であって、ほぼ枠形状、若しくは、ほぼ筒形状で、かつ、閉合せずに開放した状態になるように切断部が形成され、弾性を有する係止部材本体を備え、前記係止部材本体の前記切断部側を、前記地下埋設物に押しつけて内部に収めることにより、包み込むように前記地下埋設物を係止することを特徴とする。
【０００７】
請求項１記載の発明によれば、切断部が形成された係止部材本体は、弾性を有するため、係止部材本体の切断部側を、地下埋設物に押しつけると切断部が更に開放した状態となる。そして、地下埋設物に更に押しつけると、係止部材本体には元の形に戻ろうとする力が働き、地下埋設物が係止部材本体の内部に収まり、包み込むように地下埋設物を係止することができる。
【０００８】
請求項２記載の発明は、請求項１記載の係止部材において、前記地下埋設物を係止した状態の前記係止部材本体の左右にそれぞれ近接、若しくは、当接して配置される変形阻止部材と、前記変形阻止部材の一端同士を相互に連結する連結部材と、を具備する被せ部材を備え、前記被せ部材は、前記係止部材本体よりも高い剛性を有することを特徴とする。
【０００９】
請求項２記載の発明によれば、地下埋設物を係止した状態の係止部材本体の左右にそれぞれ近接、若しくは、当接して配置される変形阻止部材と、変形阻止部材の一端同士を相互に連結する連結部材と、を具備する被せ部材は、係止部材本体よりも高い剛性を有するので、地下埋設物の自重の影響による係止部材本体の変形を阻止することができる。
【００１０】
請求項３記載の発明は、請求項１または２記載の係止部材を用いた吊り部材であって、前記係止部材本体の前記切断部のほぼ反対側に設けられる、ワイヤー等の吊り材を備えることを特徴とする。
【００１１】
請求項３記載の発明によれば、係止部材本体の切断部のほぼ反対側に設けられる、ワイヤー等の吊り材によって、該係止部材本体を吊ることにより、係止部材本体によって包み込むように地下埋設物を係止した状態で吊ることができる。
【００１２】
請求項４記載の発明は、請求項３記載の吊り部材を用いる、地下埋設物の防護工法であって、前記地下埋設物の下側の地盤を残した状態で、前記地下埋設物の上部および側部の地盤を、前記地下埋設物の下端近傍まで掘削し、前記係止部材本体の前記切断部側を、前記地下埋設物に押しつけて内部に収めることにより、包み込むように前記地下埋設物を係止し、前記吊り材によって、前記係止部材本体の前記切断部のほぼ反対側を吊ることを特徴とする。
【００１３】
請求項４記載の地下埋設物の防護工法によれば、地下埋設物の下側の地盤を残した状態で、地下埋設物の上部および側部の地盤を、地下埋設物の下端近傍まで掘削し、係止部材本体の前記切断部側を、地下埋設物に押しつけて内部に収めることにより、包み込むように地下埋設物を係止し、係止部材本体の切断部のほぼ反対側に設けられた吊り材によって、係止部材本体の前記切断部のほぼ反対側を吊るので、地下埋設物の下側の地盤を、手掘り等によって掘削することなく、地下埋設物を支持することができる。従って、施工性もよく、作業者の負担を軽減することができる。
【００１４】
【発明の実施の形態】
以下、図を参照して本発明を適用した実施の形態を詳細に説明する。
【００１５】
図1を用いて本発明の係止部材Ｋの構成について説明する。
同図に示すように、係止部材Ｋは、係止部材本体１と、後述する被せ部材２とからなる。なお、係止部材本体１は、被せ部材２なしで単独で係止部材Ｋとして使用可能であり、以下の例においては、被せ部材２を用いない例を説明する。
【００１６】
係止部材本体１は、ほぼ枠状、若しくは、ほぼ管状に形成され、かつ、閉合せずに開放した状態となるように切断部１１が形成され、かつ、弾性を有する材料から形成されている。
従って、係止部材本体１は、切断部１１において端部１ａ、１ｂ同士が切断部１１を挟んでほぼ向き合った状態となる形状となっている。また、この例において、係止部材本体１の形状は、断面円環状に近い円弧状である。なお、係止部材本体１において、切断部１１を挟んで配置される端部１ａ、１ｂ同士の距離は、被係止部材４の最大幅より大きいと係止が困難になるので、被係止部材４の最大幅より小さい必要がある。また、係止部材本体１の断面形状は、円環状に近い円弧状に限られるものではなく、ほぼ枠状で、切断部１１で開放された形状ならば、三角形、四角形及びそれ以上の多角形であってもよいし、楕円等の円を変形させたような形状でもよいし、多角形で角の部分にＲを形成したような形状でもよい。
【００１７】
そして、係止部材本体１は、その切断部１１側を被係止部材４に押しつけて、係止部材本体１の切断部１１を挟んで配置された端部１ａ、１ｂを、係止部材本体１の弾性変形により押し広げ、さらに、被係止部材４に係止部材本体１を押しつけることにより、係止部材本体１内に被係止部材４を内包した状態とするとともに、弾性変形して開いた状態の切断部１１同士の間隔が狭まることにより、被係止部材４に係止部材本体１が係止されるようになっている。
【００１８】
なお、被係止部材４は、係止部材本体１の切断部１１を挟んで配置された端部１ａ、１ｂ間の長さより長い直径を有する必要がある。また、係止部材本体１が弾性変形して対応可能であれば、被係止部材４の外径が係止部材本体１の内径より大きくても、被係止部材４を係止部材Ｋが挟持することができる。
【００１９】
また、図１は本実施の形態における地下埋設物の防護工法の施工状況を示す概略断面図である。同図において、被係止部材４は、地中に埋設された配管ケーブル等の円形断面を有する長尺な地下埋設物であって、具体的には、上下水道管、ガス管、光ファイバーケーブル等に相当する。
【００２０】
以下、既設の地下埋設物よりも深い地中を掘削して構造物を設置する際に、本発明の係止部材Ｋおよび吊り部材Ｔを用いて地下埋設物を防護する工法の施工手順について説明する。
【００２１】
まず、掘削する土地周辺において、既設の地下埋設物の調査を行い、当該地下埋設物の種類・管径・土被り等を把握する。
ここでは、地下埋設物（被係止部材４）の種類は上水道管、管径より求まる外周はＬ２、土被りはｄ１であることとして説明する。
【００２２】
次いで、既設の地下埋設物（被係止部材４）の上部（即ち、土被り厚ｄ１の原地盤５）および側部にある原地盤５を地下埋設物（被係止部材４）の下端近傍まで掘削して、地下埋設物（被係止部材４）を地中工事空間に露出させる。
そして、該地下埋設物（被係止部材４）の露出部に、係止部材本体１の切断部１１側を押しつけて、地下埋設物（被係止部材４）を内部に収めることにより、包み込むように地下埋設物（被係止部材４）を係止する。
【００２３】
次いで、係止部材本体１の切断部１１のほぼ反対側に設けられた鉤部材１２、１２に、ワイヤー等の吊り材３を取り付ける。該吊り材３を地表面近くに設置した吊り桁（不図示）に取り付け、該吊り材３によって、係止部材本体１の切断部１１のほぼ反対側を吊ることにより、地下埋設物（被係止部材４）を吊る。
その後、該地下埋設物（被係止部材４）よりも深い地中を掘削して構造物（不図示）を設置する。
【００２４】
上記実施の形態に示す地下埋設物の防護工法によれば、地下埋設物（被係止部材４）の下側の原地盤５を残した状態で、地下埋設物（被係止部材４）の上部（即ち、土被り厚ｄ１の原地盤５）および側部の原地盤５を、地下埋設物（被係止部材４）の下端近傍まで掘削し、係止部材本体１の切断部１１側を、地下埋設物（被係止部材４）に押しつけて内部に収めることにより、包み込むように地下埋設物（被係止部材４）を係止し、係止部材本体１の切断部１１のほぼ反対側に設けられた鉤部材１２、１２に取り付けた吊り材３によって、係止部材本体１の切断部１１のほぼ反対側を吊るので、地下埋設物（被係止部材４）の下側の原地盤５を、手掘り等によって掘削することなく、地下埋設物（被係止部材４）を支持することができる。従って、施工性もよく、作業者の負担を軽減することができる。
また、吊り材３として、ワイヤーの他にロープ等を用いることとしてもよい。
【００２５】
また、鉤部材１２、１２を設けず、係止部材本体１に２つで一組の貫通孔を設け、係止部材本体１の外側から、ワイヤーを一方の貫通孔に通し、係止部材本体１の内側から他方の貫通孔を通して、係止部材本体１を吊ることとしてもよい。
これらの貫通孔は、係止部材本体１の切断部１１のほぼ反対側に、周方向に並べて設けても、軸方向に並べて設けてもよい。
【００２６】
図２は、係止部材本体１の切断部１１側を、被係止部材４に押しつけて内部に収めることにより、包み込むように被係止部材４を係止する際に、係止部材本体１が変形する様子を示した図である。
図２（ａ）に示すように、係止部材本体内周Ｌ１は、端部１ａから、相対する端部１ｂまでの内側の長さである。また、端部１ａ、１ｂに間の隙間は、長さ方向に設けられた切断部１１を示す。
【００２７】
係止部材本体１の切断部１１側を、被係止部材４に押しつけると、図２（ｂ）に示すように、係止部材本体１の端部１ａ、１ｂが被係止部材４に当接して、押し広げられる。被係止部材４に更に押しつけると、係止部材本体１には元の形に戻ろうとする力が働き、係止部材本体１は、図２（ｃ）に示すように、被係止部材４を内部に収めることにより、包み込むように係止する。
【００２８】
ここで、（式１）に示すように、係止部材本体内周Ｌ１は、被係止部材外周Ｌ２の半分よりも長く、被係止部材外周Ｌ２よりも短いこととし、係止部材本体１は所要の弾性を有することとする。
Ｌ２／２＜Ｌ１＜Ｌ２・・・（式１）
なお、係止部材本体１の有する剛性、形状、または、被係止部材４の重量等によっては、この限りではない。
【００２９】
以下、上記実施の形態の変形例について図３を用いて説明する。
同図に示すように、本変形例における係止部材Ｋ、吊り部材Ｔ及び地下埋設物の防護工法は、上記実施の形態の係止部材本体１に対して、さらに、被せ部材２を用い、これら係止部材本体１と被せ部材２とから係止部材Ｋが構成されるようにしたものである。
【００３０】
該被せ部材２は、被係止部材４を係止した状態の係止部材本体１の左右にそれぞれ近接、若しくは、当接して配置される変形阻止部材２１、２１と、変形阻止部材２１、２１の一端同士を相互に連結する連結部材２２とを備え、断面コの字状に形成されたものである。また、被せ部材２は、係止部材本体１よりも高い剛性を有する。
なお、連結部材２２には、係止部材本体１に設けられた鉤部材１２に取り付けられた吊り材３が通る孔、または、隙間が設けられているものとする。
【００３１】
ここで、被係止部材４を係止した状態の係止部材本体１の切断部１１のほぼ反対側に設けられた鉤部材１２、１２に取り付けた吊り材３によって、係止部材本体１の切断部１１のほぼ反対側を吊ることにより、地下埋設物（被係止部材４）を吊る際に、地下埋設物（被係止部材４）の自重が重い場合には、地下埋設物（被係止部材４）の自重によって係止部材本体１がその端部１ａ、１ｂ同士の間隔が拡がるように変形するという懸念が生じる。
【００３２】
しかしながら、本変形例に示す地下埋設物の防護工法を適用することにより、地下埋設物（被係止部材４）を係止した状態の係止部材本体１の左右にそれぞれ近接、若しくは、当接して配置される変形阻止部材２１、２１と、変形阻止部材２１、２１の一端同士を相互に連結する連結部材２２と、を具備する被せ部材２は、係止部材本体１よりも高い剛性を有するので、地下埋設物（被係止部材４）の自重の影響による係止部材本体１の変形を阻止することができる。
【００３３】
なお、係止部材Ｋ及び吊り部材Ｔは、地下埋設物の上述の防護工法以外にも使用可能である。逆に、被係止部材４を係止した係止部材本体１を切断部１１が上になるように配置するとともに、係止部材本体１の切断部１１の反対側にワイヤーやロープ等の吊り材３（線状部材）を取り付け、該線状部材の先に被係止部材４ではなく、他のものを吊るようにして用いてもよい。以上のような場合においても、係止部材本体１と被せ部材２とを合わせて用いてもよい。
また、係止部材Ｋにより係止される被係止部材４であれば、どのように吊られるものであってもよいし、どのように支持されるものであってもよい。
【００３４】
なお、本発明は以上の実施の形態例に限定されるものではなく、具体的な細部構造等についても適宜に変更可能であることは勿論である。
【００３５】
【発明の効果】
以上のように、請求項１記載の発明によれば、切断部が形成された係止部材本体は、弾性を有するため、係止部材本体の切断部側を、地下埋設物に押しつけると切断部が更に開放した状態となる。そして、地下埋設物に更に押しつけると、係止部材本体には元の形に戻ろうとする力が働き、地下埋設物が係止部材本体の内部に収まり、包み込むように地下埋設物を係止することができる。
このように、係止部材は、地下埋設物の防護工法に好適に用いることができる。
【００３６】
請求項２記載の発明によれば、地下埋設物を係止した状態の係止部材本体の左右にそれぞれ近接、若しくは、当接して配置される変形阻止部材と、変形阻止部材の一端同士を相互に連結する連結部材と、を具備する被せ部材は、係止部材本体よりも高い剛性を有するので、地下埋設物の自重の影響による係止部材本体の変形を阻止することができる。
このように、係止部材は、地下埋設物の防護工法に好適に用いることができる。
【００３７】
請求項３記載の発明によれば、係止部材本体の切断部のほぼ反対側に設けられる、ワイヤー等の吊り材によって、該係止部材本体を吊ることにより、係止部材本体によって包み込むように地下埋設物を係止した状態で吊ることができる。
このように、係止部材は、地下埋設物の防護工法に好適に用いることができる。
【００３８】
請求項４記載の地下埋設物の防護工法によれば、地下埋設物の下側の地盤を残した状態で、地下埋設物の上部および側部の地盤を、地下埋設物の下端近傍まで掘削し、係止部材本体の前記切断部側を、地下埋設物に押しつけて内部に収めることにより、包み込むように地下埋設物を係止し、吊り材によって、係止部材本体の前記切断部のほぼ反対側を吊るので、地下埋設物の下側の地盤を、手掘り等によって掘削することなく、地下埋設物を支持することができる。従って、施工性もよく、作業者の負担を軽減することができる。
【図面の簡単な説明】
【図１】本実施の形態における地下埋設物の防護工法の施工状況を示す概略断面図である。
【図２】被係止部材を係止する際に、係止部材本体が変形する様子を示した図である。
【図３】実施の形態の変形例における地下埋設物の防護工法の施工状況を示す概略断面図である。
【図４】従来の地下埋設物の防護工法の施工状況を示す概略断面図である。
【符号の説明】
Ｔ                吊り部材
Ｋ              係止部材
１            係止部材本体
１ａ、１ｂ  端部
１１        切断部
１２        鉤部材
Ｌ１        係止部材本体内周
２            被せ部材
２１        変形阻止部材
２２        連結部材
３            吊り材
４            地下埋設物
Ｌ２        地下埋設物外周
５            原地盤
【図１】
0004647157.tif 000002
【図２】
0004647157.tif 000003
【図３】
0004647157.tif 000004
【図４】
0004647157.tif 000005